【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
端末からの要求によりゲームを実行するサーバ装置であって、
所定のアクションを実行するための能力を表すパラメータを有するデータである複数の第１の特性データのうち、ユーザが利用可能な特性データを、ユーザ毎に関連付けて記憶し、かつ、前記所定のアクションを実行するための能力を表すパラメータを有するデータである第２の特性データを、前記複数の第１の特性データのうち、少なくとも二つの特性データが属するグループ毎に関連付けて記憶する記憶部と、
ゲームの実行中に前記所定のアクションの実行を要する所定のイベントが発生した場合、
前記端末のユーザ以外の少なくとも一人のユーザを他のユーザとして無作為に選択すること、
前記端末とデータを送受信する通信部を介して、前記端末のユーザ以外の少なくとも一人のユーザに係るユーザ名のみを前記端末に送信し、前記端末のユーザにより選択されたユーザ名を前記端末から受信し、当該ユーザ名に係るユーザを前記他のユーザとして選択すること、
前記端末のユーザに係るユーザ属性に基づいて前記端末のユーザ以外の少なくとも一人のユーザを他のユーザとして選択すること、又は、
前記通信部を介して、前記端末のユーザ以外の少なくとも一人のユーザに係るユーザ属性を前記端末に送信し、前記端末のユーザにより選択されたユーザ属性に係るユーザを他のユーザとして選択すること、の内の何れか一つを行う他ユーザ選択部と、
前記記憶部を参照して前記ユーザ及び前記他のユーザに関連付けられている前記第１の特性データを抽出し、当該第１の特性データの中に、前記グループに属する前記第１の特性データがすべて含まれているか否かを判定するグループ成立判定部と、
前記抽出した第１の特性データの中に、属する前記第１の特性データがすべて含まれているグループが存在する場合、当該グループに関連付けられている前記第２の特性データを抽出し、当該抽出した第２の特性データを用いて前記所定のアクションを実行し、前記抽出した第１の特性データの中に、属する前記第１の特性データがすべて含まれているグループが存在しない場合、前記ユーザ及び前記他のユーザに関連づけられている前記第１の特性データを用いて前記所定のアクションを実行するアクション実行部と、
を有することを特徴とするサーバ装置。
【請求項２】
前記ユーザ及び前記他のユーザに関連付けられている前記第２の特性データが有するパラメータの値は、前記ユーザ及び前記他のユーザに関連付けられている前記第１の特性データのそれぞれが有するパラメータの値又は当該値の合計とは異なるように設定される、請求項１に記載のサーバ装置。
【請求項３】
前記グループ成立判定部は、前記ユーザ及び前記他のユーザに関連付けられている前記第１の特性データのうち、それぞれ前記ユーザ及び前記他のユーザによって予め選択された前記第１の特性データを抽出する、請求項１または２に記載のサーバ装置。
【請求項４】
前記ユーザ属性には、前記ユーザの年齢、性別、居住地の情報が含まれる、請求項１〜３の何れか一項に記載のサーバ装置。
【請求項５】
端末からの要求によりゲームを実行する、記憶部を有するサーバ装置を制御するサーバ制御方法であって、
前記サーバ装置が、
所定のアクションを実行するための能力を表すパラメータを有するデータである複数の第１の特性データのうち、ユーザが利用可能な特性データを、ユーザ毎に関連付けて記憶し、かつ、前記所定のアクションを実行するための能力を表すパラメータを有するデータである第２の特性データを、前記複数の第１の特性データのうち、少なくとも二つの特性データが属するグループ毎に関連付けて前記記憶部に記憶し、
ゲームの実行中に前記所定のアクションの実行を要する所定のイベントが発生した場合、
前記端末のユーザ以外の少なくとも一人のユーザを他のユーザとして無作為に選択すること、
前記端末とデータを送受信する通信部を介して、前記端末のユーザ以外の少なくとも一人のユーザに係るユーザ名のみを前記端末に送信し、前記端末のユーザにより選択されたユーザ名を前記端末から受信し、当該ユーザ名に係るユーザを前記他のユーザとして選択すること、
前記端末のユーザに係るユーザ属性に基づいて前記端末のユーザ以外の少なくとも一人のユーザを他のユーザとして選択すること、又は、
前記通信部を介して、前記端末のユーザ以外の少なくとも一人のユーザに係るユーザ属性を前記端末に送信し、前記端末のユーザにより選択されたユーザ属性に係るユーザを他のユーザとして選択すること、の内の何れか一つを行い、
前記記憶部を参照して前記ユーザ及び前記他のユーザに関連付けられている前記第１の特性データを抽出し、当該第１の特性データの中に、前記グループに属する前記第１の特性データがすべて含まれているか否かを判定し、
前記抽出した第１の特性データの中に、属する前記第１の特性データがすべて含まれているグループが存在する場合、当該グループに関連付けられている前記第２の特性データを抽出し、当該抽出した第２の特性データを用いて前記所定のアクションを実行し、前記抽出した第１の特性データの中に、属する前記第１の特性データがすべて含まれているグループが存在しない場合、前記ユーザ及び前記他のユーザに関連づけられている前記第１の特性データを用いて前記所定のアクションを実行する、
ことを含む、ことを特徴とするサーバ制御方法。
【請求項６】
端末からの要求によりゲームを実行する、記憶部を有するサーバ装置を制御するためのサーバ制御プログラムであって、
前記サーバ装置が、
所定のアクションを実行するための能力を表すパラメータを有するデータである複数の第１の特性データのうち、ユーザが利用可能な特性データを、ユーザ毎に関連付けて記憶し、かつ、前記所定のアクションを実行するための能力を表すパラメータを有するデータである第２の特性データを、前記複数の第１の特性データのうち、少なくとも二つの特性データが属するグループ毎に関連付けて前記記憶部に記憶し、
ゲームの実行中に前記所定のアクションの実行を要する所定のイベントが発生した場合、
前記端末のユーザ以外の少なくとも一人のユーザを他のユーザとして無作為に選択すること、
前記端末とデータを送受信する通信部を介して、前記端末のユーザ以外の少なくとも一人のユーザに係るユーザ名のみを前記端末に送信し、前記端末のユーザにより選択されたユーザ名を前記端末から受信し、当該ユーザ名に係るユーザを前記他のユーザとして選択すること、
前記端末のユーザに係るユーザ属性に基づいて前記端末のユーザ以外の少なくとも一人のユーザを他のユーザとして選択すること、又は、
前記通信部を介して、前記端末のユーザ以外の少なくとも一人のユーザに係るユーザ属性を前記端末に送信し、前記端末のユーザにより選択されたユーザ属性に係るユーザを他のユーザとして選択すること、の内の何れか一つを行い、
前記記憶部を参照して前記ユーザ及び前記他のユーザに関連付けられている前記第１の特性データを抽出し、当該第１の特性データの中に、前記グループに属する前記第１の特性データがすべて含まれているか否かを判定し、
前記抽出した第１の特性データの中に、属する前記第１の特性データがすべて含まれているグループが存在する場合、当該グループに関連付けられている前記第２の特性データを抽出し、当該抽出した第２の特性データを用いて前記所定のアクションを実行し、前記抽出した第１の特性データの中に、属する前記第１の特性データがすべて含まれているグループが存在しない場合、前記ユーザ及び前記他のユーザに関連づけられている前記第１の特性データを用いて前記所定のアクションを実行する、
ことを前記サーバ装置に実行させる、ことを特徴とするサーバ制御プログラム。